(57)【要約】【課題】能動部品の使用抑制を通じて省電力および小型化を図ることが可能な電源装置を提供する。【解決手段】電源装置１１は、電力変換部１７および制御部２１を備える。電力変換部１７は、直流電源１３と電気負荷１５との間に設けられ、直流電源１３から供給される第１の電位ＧＮＤ１を基準とする第１の直流電圧Ｖinを、第１の電位ＧＮＤ１とは異なる第２の電位ＧＮＤ２を基準とし、かつ、第１の直流電圧Ｖinとは異なる第２の直流電圧Ｖo2に変換し電気負荷１５に供給する。制御部２１は、電力変換部１７が有するスイッチング素子Ｑ１に係る駆動を、第２の直流電圧Ｖo2に係る検出の結果に基づいて制御する。また、制御部２１は、スイッチング素子Ｑ１に係る駆動の制御、および、第２の直流電圧Ｖo2に係る検出を、第１の電位ＧＮＤ１を基準として行う。【選択図】図１
2013162629.tif 000002
【特許請求の範囲】
【請求項１】
直流電源と電気負荷との間に設けられ、前記直流電源から供給される第１の電位を基準とする第１の直流電圧を、前記第１の電位とは異なる第２の電位を基準とし、かつ、当該第１の直流電圧とは異なる第２の直流電圧に変換し前記電気負荷に供給する電力変換部と、
前記電力変換部が有するスイッチング素子に係る駆動を、前記第２の直流電圧に係る検出の結果に基づいて制御する制御部と、を備える電源装置であって、
前記制御部は、前記スイッチング素子に係る駆動の制御、および、前記第２の直流電圧に係る検出を、前記第１の電位を基準として行う、
ことを特徴とする電源装置。
【請求項２】
請求項１に記載の電源装置であって、
前記制御部は、
前記第２の直流電圧に係る検出を行う検出部と、
前記スイッチング素子に係る駆動の制御を行う駆動制御部と、を有し、
前記駆動制御部が行う前記駆動の制御、および、前記検出部が行う前記検出は、前記第１の電位を基準として行われる、
ことを特徴とする電源装置。
【請求項３】
請求項１または２に記載の電源装置であって、
前記検出は、前記スイッチング素子に係る駆動により周期的に生じる、前記第１の電位と前記第２の電位とが一致する期間に行われる、
ことを特徴とする電源装置。
【請求項４】
請求項１〜３のいずれか一項に記載の電源装置であって、
前記電力変換部は、前記スイッチング素子に加えて、ダイオード、リアクトル、および、コンデンサを有し、
前記スイッチング素子および前記ダイオードからなる直列回路は、前記直流電源に対して並列に設けられ、
前記ダイオードは、アノード端子を前記スイッチング素子に接続すると共に、カソード端子を前記直流電源の陽極側に接続するように設けられ、
前記コンデンサは、前記ダイオードに対して並列に設けられ、
前記リアクトルは、前記ダイオードの前記カソード端子、および、前記コンデンサが有する一対の端子のうち前記直流電源の陽極側の間に設けられ、
前記スイッチング素子のうち前記直流電源の陽極側の端子は、前記第２の電位を有する第２の接地端子に接続され、
前記スイッチング素子のうち前記直流電源の陰極側の端子は、前記第１の電位を有する第１の接地端子に接続される、
ことを特徴とする電源装置。
【請求項５】
請求項４に記載の電源装置であって、
前記電気負荷が有する一対の端子のうち前記直流電源の陽極側と、前記第１の電位を有する第１の接地端子との間に、第１および第２の抵抗を直列に接続してなる分圧部を有し、前記第１および第２の抵抗間に係る第２の接続点の電位と、前記第１および第２の抵抗に係る抵抗値とに基づいて、前記第２の直流電圧に係る前記検出を行う、
ことを特徴とする電源装置。
【発明の詳細な説明】
【技術分野】
【０００１】
本発明は、電気負荷に直流電力を供給する電源装置に関する。
【背景技術】
【０００２】
例えばパーソナルコンピュータや携帯電話などの電気負荷は、内蔵している蓄電池を、直流電力を供給する電源装置を用いて充電し、蓄電池に充電された直流電力により駆動される。こうした電源装置は、電気負荷を駆動する際に不可欠なものとして、家庭用または業務用のあらゆる分野で汎用されている。
かかる電源装置の例として特許文献１には、降圧チョッパ回路とＤＣ／ＤＣコンバータとを有し、降圧チョッパ回路の出力電圧が設定値より高くなったときにＤＣ／ＤＣコンバータの動作を停止させる電源装置が開示されている。
【０００３】
特許文献１に係る電源装置によれば、過電圧保護機能による電力損失の低減およびコストアップの抑制を実現可能な電源装置を得ることができる。
【先行技術文献】
【特許文献】
【０００４】
【特許文献１】特開平１１−１７８３４２号公報
【発明の概要】
【発明が解決しようとする課題】
【０００５】
ところで、特許文献１に係る電源装置には、予め設定される目標値に係る直流電力を電気負荷に安定して供給するために、出力電圧のぶれを監視し、目標値から外れようとする出力電圧のぶれを検知すると、ぶれを除いて出力電圧を目標値に追従させる機能が備えられている。
【０００６】
詳しく述べると、特許文献１（特に、“図１”の“降圧チョッパ回路１１２”の出力端子間に接続された“差動増幅回路１１４”参照）に係る電源装置では、“降圧チョッパ回路１１２”の出力電圧を検出するために、“降圧チョッパ回路１１２”の出力端子間を接続して出力電圧を検出する“差動増幅回路１１４”を別途設ける構成を採用している。これは、特許文献１の“降圧チョッパ回路１１２”の出力電圧に関する基準となる電位と、“差動増幅回路１１４”の基準となる電位とが相互に異なる場合であっても、“降圧チョッパ回路１１２”に係る出力電圧の検出を的確に行うためである。
【０００７】
しかしながら、特許文献１に係る電源装置では、出力電圧の検出のために、“差動増幅回路１１４”を別途設ける必要があるため、直流電力を受けて動作する差動増幅回路などの能動部品の使用を抑制し、これをもって省電力および小型化を図るという要請に応えることが難しかった。
【０００８】
本発明は、前記の実情に鑑みてなされたものであり、能動部品の使用抑制を通じて省電力および小型化を図ることが可能な電源装置を提供することを課題とする。
【課題を解決するための手段】
【０００９】
前記した課題を解決するため、請求項１に係る発明は、直流電源と電気負荷との間に設けられ、前記直流電源から供給される第１の電位を基準とする第１の直流電圧を、前記第１の電位とは異なる第２の電位を基準とし、かつ、当該第１の直流電圧とは異なる第２の直流電圧に変換し前記電気負荷に供給する電力変換部と、前記電力変換部が有するスイッチング素子に係る駆動を、前記第２の直流電圧に係る検出の結果に基づいて制御する制御部と、を備える電源装置であって、前記制御部は、前記スイッチング素子に係る駆動の制御、および、前記第２の直流電圧に係る検出を、前記第１の電位を基準として行う、ことを最も主要な特徴とする。
【発明の効果】
【００１０】
本発明によれば、能動部品の使用抑制を通じて省電力および小型化を図ることが可能な電源装置を提供することができる。
【図面の簡単な説明】
【００１１】
【図１】本発明の実施形態に係る電源装置の概略構成を表す回路図である。
【図２Ａ】本発明の実施形態に係る電源装置において、スイッチング素子がオフの場合の電流経路を表す説明図である。
【図２Ｂ】本発明の実施形態に係る電源装置において、スイッチング素子がオンの場合の電流経路を表す説明図である。
【図３】本発明の実施形態に係る電源装置における各部の信号波形を表す説明図である。（ａ）は、電源装置の入力電圧波形を、（ｂ）は、電源装置の出力電圧波形を、（ｃ）は、スイッチング素子に係る駆動制御信号の電圧波形を、（ｄ）は、電源装置の差分電圧波形を、（ｅ）は、第２の接続点に係る検出電圧波形を、それぞれ表す。
【発明を実施するための形態】
【００１２】
以下、本発明の実施形態に係る電源装置について、図面を参照して詳細に説明する。
【００１３】
〔本発明の実施形態に係る電源装置１１の概略構成〕
はじめに、本発明の実施形態に係る電源装置１１の概略構成について、図１を参照して説明する。図１は、本発明の実施形態に係る電源装置１１の概略構成を表す回路図である。
【００１４】
電源装置１１は、図１に示すように、直流電源１３と、直流電源１３と電気負荷１５との間に設けられる電力変換部１７および分圧部１９と、制御部２１と、を備えて構成されている。電源装置１１は、第１の接地電位（本発明の“第１の電位”に相当する。）ＧＮＤ１を基準とする第１の直流電圧Ｖinを、第１の接地電位ＧＮＤ１とは異なる第２の接地電位ＧＮＤ２を基準とし、かつ、第１の直流電圧Ｖinとは異なる第２の直流電圧Ｖo2に変換し電気負荷１５に供給する機能を有する。
【００１５】
直流電源１３の第１の直流電圧Ｖinは、例えば、（図示しない）交流電源の交流電力を、（図示しない）コンバータなどを用いて直流電力に変換することで得ることができる。
【００１６】
電力変換部１７は、図１に示すように、ダイオードＤ１、リアクトルＬ１、コンデンサＣ１、および、スイッチング素子Ｑ１を有して構成される。スイッチング素子Ｑ１およびダイオードＤ１を直列に接続してなる直列回路２３は、直流電源１３に対して並列に設けられる。ダイオードＤ１は、アノード端子をスイッチング素子Ｑ１に接続すると共に、カソード端子を直流電源１３の陽極側に接続するように設けられる。
【００１７】
ダイオードＤ１は、スイッチング素子Ｑ１のオフ時において、リアクトルＬ１に蓄積されて電気負荷１５に流れる電流をリアクトルＬ１に還流させる機能を有する。
なお、ダイオードＤ１に代えて、スイッチング素子Ｑ１のオフ時にオンし、スイッチング素子Ｑ１のオン時にオフするスイッチング素子（例えば、後述のＭＯＳＦＥＴなど）を用いてもよい。
【００１８】
コンデンサＣ１は、ダイオードＤ１に対して並列に設けられる。リアクトルＬ１は、ダイオードＤ１のカソード端子、および、コンデンサＣ１が有する一対の端子のうち直流電源１３の陽極側の間を接続するように設けられる。コンデンサＣ１およびリアクトルＬ１は、スイッチング素子Ｑ１のオン時に直流電源１３から供給される電気エネルギーを蓄積し、こうして蓄積した電気エネルギーをスイッチング素子Ｑ１のオフ時に電気負荷１５に放出する機能を有する。すなわち、コンデンサＣ１の両端に現れる電圧は、スイッチング素子Ｑ１のオンオフ駆動に基づく電気エネルギーの蓄積および放出によって平滑化される。
【００１９】
スイッチング素子Ｑ１としては、例えば、ＭＯＳＦＥＴ（Metal-Oxide-Semiconductor Field-Effect Transistor ）を好適に用いることができる。以下の説明では、スイッチング素子Ｑ１としてｎチャネル型ＭＯＳＦＥＴを用いた例をあげて説明する。スイッチング素子Ｑ１は、後記する駆動制御部３３からの駆動制御信号（例えば、ＰＷＭ（Pulse Width Modulation）制御信号など）に従ってオンオフ駆動することにより、電気負荷１５に供給される直流電力を調整する機能を有する。
【００２０】
詳しく述べると、ｎチャネル型ＭＯＳＦＥＴであるスイッチング素子Ｑ１は、ドレイン端子がダイオードＤ１のアノード端子に、ゲート端子が駆動制御部３３に、ソース端子が第１の接地端子２５に、それぞれ接続されている。
【００２１】
スイッチング素子Ｑ１のうち直流電源１３の陰極側のソース端子は、第１の接地電位ＧＮＤ１を有する第１の接地端子２５に接続される。また、スイッチング素子Ｑ１およびダイオードＤ１の間に位置する第１の接続点２４は、第２の接地電位ＧＮＤ２を有する第２の接地端子２７に接続される。
【００２２】
分圧部１９は、第１および第２の抵抗Ｒ１，Ｒ２を直列に接続してなる。第１の抵抗Ｒ１の一端は、電力変換部１７の出力端子であるリアクトルＬ１とコンデンサＣ１との接続点に接続される。第１の抵抗Ｒ１の他端は、第２の抵抗Ｒ２の一端に接続される。第２の抵抗Ｒ２の他端は、第１の接地電位ＧＮＤ１を有する第１の接地端子２５に接続される。第１および第２の抵抗Ｒ１，Ｒ２の間に位置する第２の接続点２９は、電圧検出部３１に接続される。分圧部１９は、電力変換部１７の出力である第２の直流電圧Ｖo2を第１および第２の抵抗Ｒ１，Ｒ２で分圧することにより、第２の直流電圧Ｖo2に相関する電圧を第２の接続点２９から出力する機能を有する。
【００２３】
電圧検出部３１は、第２の接続点２９から出力された第２の直流電圧Ｖo2に相関する電圧と、第１および第２の抵抗Ｒ１，Ｒ２に係るそれぞれの抵抗値とに基づいて、第２の直流電圧Ｖo2を検出する機能を有する。電圧検出部３１で検出された第２の直流電圧Ｖo2に係る情報は、駆動制御部３３へと送られる。
【００２４】
制御部２１は、電圧検出部３１および駆動制御部３３を有する。制御部２１は、ＣＰＵ、ＲＯＭ、ＲＡＭなどを含むマイクロコンピュータにより構成され、例えば、ＣＰＵがＲＯＭに記憶されたプログラムを実行・処理することにより、電圧検出部３１および駆動制御部３３としての機能を実現する。
【００２５】
駆動制御部３３は、予め設定される目標電圧に係る情報と、電圧検出部３１で検出された第２の直流電圧Ｖo2に係る情報とに基づいて生成する、第２の直流電圧Ｖo2を目標電圧に追従させるための駆動制御信号（ＰＷＭ制御信号）を、スイッチング素子Ｑ１のゲート端子に与える。駆動制御部３３は、駆動制御信号（ＰＷＭ制御信号）に従ってスイッチング素子Ｑ１のオンオフ駆動を制御する機能を有する。
【００２６】
本実施形態に係る電源装置１１において最も重要な点は、駆動制御部３３が行うスイッチング素子Ｑ１に係る駆動の制御、および、電圧検出部３１が行う第２の直流電圧Ｖo2に係る検出が、第１の接地電位ＧＮＤ１を基準として行われる点である。これにより、本実施形態に係る電源装置１１では、能動部品の使用抑制を通じて省電力および小型化を図ることとしている。
【００２７】
〔本発明の実施形態に係る電源装置１１の動作〕
次に、本発明の実施形態に係る電源装置１１の動作について、図２Ａ、図２Ｂ、および図３を参照して説明する。図２Ａは、本発明の実施形態に係る電源装置１１において、スイッチング素子Ｑ１がオフの場合の電流経路Ｉoff を表す説明図である。図２Ｂは、本発明の実施形態に係る電源装置１１において、スイッチング素子Ｑ１がオンの場合の電流経路Ｉonを表す説明図である。図３は、本発明の実施形態に係る電源装置１１における各部の信号波形を表す説明図であり、図３（ａ）は、電源装置１１の入力電圧波形を、図３（ｂ）は、電源装置１１の出力電圧波形を、図３（ｃ）は、スイッチング素子Ｑ１に係る駆動制御信号の電圧波形を、図３（ｄ）は、電源装置１１の差分電圧波形を、図３（ｅ）は、第２の接続点２９に係る検出電圧波形を、それぞれ表す。
【００２８】
（スイッチング素子Ｑ１がオフの場合）
はじめに、スイッチング素子Ｑ１がオフの場合の、本発明の実施形態に係る電源装置１１の動作について説明する。スイッチング素子Ｑ１がオフの場合、電源装置１１には、図２Ａに示すように、リアクトルＬ１→電気負荷１５→ダイオードＤ１→リアクトルＬ１の電流経路Ｉoff が形成され、この電流経路Ｉoff に沿って電流が流れる。この電流の源は、スイッチング素子Ｑ１のオン時において、リアクトルＬ１に貯えられると共にコンデンサＣ１に充電される電気エネルギーである。
【００２９】
詳しく述べると、スイッチング素子Ｑ１がオフの場合とは、駆動制御信号Ｓdの電圧レベルが、第１の接地電位ＧＮＤ１と等しくなる期間Ｔoff （図３（ｃ）参照）である。
【００３０】
前記の期間Ｔoff において、第１の接地電位ＧＮＤ１に対する第２の接地電位ＧＮＤ２の相対電位（ただし、ＧＮＤ２＞ＧＮＤ１）である差分電圧Ｖdとしては、図３（ｄ）に示すように、直流電源１３の入力電圧Ｖinと略同等の電圧が観測される。これは、差分電圧Ｖdが、直流電源１３の入力電圧ＶinからダイオードＤ１の順方向電圧を差し引いた電圧となるからである。なお、スイッチング素子Ｑ１がオフの場合、ダイオードＤ１はオンしているから、ダイオードＤ１の端子間電圧は順方向電圧である。このため、ダイオードＤ１の端子間電圧は、第１の接地電位ＧＮＤ１に対する第２の接地電位ＧＮＤ２の相対電位（ただし、ＧＮＤ２＞ＧＮＤ１）である差分電圧Ｖdや直流電源１３の入力電圧Ｖinと比較すると、無視できる程度の小さい値となる。
【００３１】
前記の期間Ｔoff において、第１および第２の抵抗Ｒ１，Ｒ２の接続点である第２の接続点２９における検出電圧Ｖo1としては、図３（ｅ）に示すように、直流電源１３の入力電圧Ｖinに対し、直流負荷１５の両端に現れる第２の直流電圧Ｖo2を加えた電圧（Ｖin＋Ｖo2）と略同等の電圧が観測される。これは、第１および第２の抵抗Ｒ１，Ｒ２が有する抵抗値が、Ｒ１＜＜Ｒ２の関係にあることに基づく。なお、本発明の実施形態において、第１および第２の抵抗Ｒ１，Ｒ２が有する抵抗値の関係は、この関係に限定されず、電源装置１１の設計仕様に応じて適宜設定できるものである。
【００３２】
したがって、前記の期間Ｔoff における検出電圧Ｖo1（図３（ｅ）のＶo1_H参照）は、第１の接地電位ＧＮＤ１を基準としたときに本来的に現れる、電気負荷１５の両端の現れる第２の直流電圧Ｖo2とは異なるものとなる。
【００３３】
（スイッチング素子Ｑ１がオンの場合）
次に、スイッチング素子Ｑ１がオンの場合の、本発明の実施形態に係る電源装置１１の動作について説明する。スイッチング素子Ｑ１がオンの場合、電源装置１１には、図２Ｂに示すように、直流電源１３→リアクトルＬ１→電気負荷１５→スイッチング素子Ｑ１→直流電源１３の電流経路Ｉonが形成され、この電流経路Ｉonに沿って電流が流れる。スイッチング素子Ｑ１のオン時において、リアクトルＬ１は、電流で電気エネルギーを貯える一方、コンデンサＣ１は、電圧で電気エネルギーを貯えるように働く。
【００３４】
詳しく述べると、スイッチング素子Ｑ１がオンの場合とは、駆動制御信号Ｓdの電圧レベルが、第１の接地電位ＧＮＤ１よりも高い電位となる期間Ｔon（図３（ｃ）参照）である。
【００３５】
前記の期間Ｔonにおいて、第１の接地電位ＧＮＤ１に対する第２の接地電位ＧＮＤ２の相対電位である差分電圧Ｖdとしては、図３（ｄ）に示すように、第１の接地電位ＧＮＤ１が観測される。これは、スイッチング素子Ｑ１のオンにより、第１の接地端子２５と、第２の接地端子２７との間が電気的に導通し、第２の接地電位ＧＮＤ２が第１の接地電位ＧＮＤ１と共通になる（ＧＮＤ２＝ＧＮＤ１）からである。
【００３６】
前記の期間Ｔonにおいて、第１および第２の抵抗Ｒ１，Ｒ２の接続点である第２の接続点２９における検出電圧Ｖo1としては、図３（ｅ）に示すように、第１の接地電位ＧＮＤ１を基準としたときに、直流負荷１５の両端に本来的に現れる第２の直流電圧Ｖo2に相関する電圧であって、第２の直流電圧Ｖo2と略同等の電圧が観測される。これは、第１および第２の抵抗Ｒ１，Ｒ２が有する抵抗値が、Ｒ１＜＜Ｒ２の関係にあることに基づく。なお、本発明の実施形態において、第１および第２の抵抗Ｒ１，Ｒ２が有する抵抗値の関係は、この関係に限定されず、電源装置１１の設計仕様に応じて適宜設定できるものである。
【００３７】
したがって、電圧検出部３１は、前記の期間Ｔonにおける検出電圧Ｖo1（図３（ｅ）のＶo1_L参照）を取得し、所定の演算式（Ｖo2＝Ｖo1×Ｒ２／（Ｒ１＋Ｒ２）、ただし、Ｒ１＜＜Ｒ２）を用いた演算処理を施すことにより、第１の接地電位ＧＮＤ１を基準としたときに、直流負荷１５の両端に本来的に現れる第２の直流電圧Ｖo2を得ることができる。
【００３８】
なお、前記の期間Ｔonにおける検出電圧Ｖo1を取得するに際しては、図３（ｃ）および図３（ｅ）に示すように、ＰＷＭ制御に係るオン時のパルス幅Ｔonの調整範囲を考慮して、パルス幅Ｔonが最も狭くなる期間Ｔd（図３（ｅ）参照）内において、検出電圧Ｖo1を取得するのが好ましい。ＰＷＭ制御に係るデューティ比が変更された場合であっても、前記の期間Ｔonにおける検出電圧Ｖo1を的確に取得することができるからである。
【００３９】
また、（図示しないが）検出電圧Ｖo1を取得するに際しては、ＰＷＭ制御に係るオン時のパルス幅Ｔonが駆動制御部３３において確定され、Ｔonの期間の例えば５０パーセントなどの適宜設定可能な時間が経過したタイミングで検出電圧Ｖo1を取得する構成を採用してもよい。このように構成すれば、前記の期間Ｔonにおける検出電圧Ｖo1を的確に取得する効果を一層高めることができる。
【００４０】
〔本発明の実施形態に係る電源装置１１の作用効果〕
次に、本発明の実施形態に係る電源装置１１の作用効果について説明する。本発明の実施形態に係る電源装置１１は、直流電源１３と電気負荷１５との間に設けられ、直流電源１３から供給される第１の電位ＧＮＤ１を基準とする第１の直流電圧Ｖinを、第１の電位ＧＮＤ１とは異なる第２の電位ＧＮＤ２を基準とし、かつ、第１の直流電圧Ｖinとは異なる第２の直流電圧Ｖo2に変換し電気負荷１５に供給する電力変換部１７と、電力変換部１７が有するスイッチング素子Ｑ１に係る駆動を、第２の直流電圧Ｖo2に係る検出の結果に基づいて制御する制御部２１と、を備える電源装置１１が前提となる。本発明の実施形態に係る電源装置１１では、制御部２１は、スイッチング素子Ｑ１に係る駆動の制御、および、第２の直流電圧Ｖo2に係る検出を、第１の電位ＧＮＤ１を基準として行う、構成を採用することとした。
【００４１】
本発明の実施形態に係る電源装置１１によれば、直流電力を受けて動作する差動増幅回路などの能動部品を要することなく、出力電圧の検出を行うことができる。したがって、直流電力を受けて動作する差動増幅回路などの能動部品の使用を抑制し、これをもって省電力および小型化を図ることができる。
【００４２】
また、本発明の実施形態に係る電源装置１１では、制御部２１は、第２の直流電圧に係る検出を行う検出部３１と、スイッチング素子に係る駆動の制御を行う駆動制御部３３と、を有し、駆動制御部３３が行う前記駆動の制御、および、検出部３１が行う前記検出は、第１の電位ＧＮＤ１を基準として行われる、構成を採用してもよい。
【００４３】
また、本発明の実施形態に係る電源装置１１では、前記検出は、スイッチング素子Ｑ１に係る駆動により周期的に生じる、前記第１の電位ＧＮＤ１と前記第２の電位ＧＮＤ２とが一致する期間に行われる、構成を採用してもよい。
【００４４】
本発明の実施形態に係る電源装置１１によれば、スイッチング素子Ｑ１に係るオン駆動の制御タイミングをもって、第２の直流電圧Ｖo2に係る検出を的確に行うことができる。
【００４５】
また、本発明の実施形態に係る電源装置１１では、電力変換部１７は、スイッチング素子Ｑ１に加えて、ダイオードＤ１、リアクトルＬ１、および、コンデンサＣ１を有し、スイッチング素子Ｑ１およびダイオードＤ１からなる直列回路２３は、直流電源１３に対して並列に設けられ、ダイオードＤ１は、アノード端子をスイッチング素子Ｑ１に接続すると共に、カソード端子を直流電源１３の陽極側に接続するように設けられ、コンデンサＣ１は、ダイオードＤ１に対して並列に設けられ、リアクトルＬ１は、ダイオードＤ１のカソード端子、および、コンデンサＣ１が有する一対の端子のうち直流電源１３の陽極側の間に設けられ、スイッチング素子Ｑ１のうち直流電源１３の陽極側の端子は、第２の電位ＧＮＤ２を有する接地端子２７に接続され、スイッチング素子Ｑ１のうち直流電源１３の陰極側の端子は、第１の電位ＧＮＤ１を有する接地端子２５に接続される、構成を採用してもよい。
【００４６】
また、本発明の実施形態に係る電源装置１１では、電気負荷１５が有する一対の端子のうち直流電源１３の陽極側と、第１の電位ＧＮＤ１を有する第１の接地端子２５との間に、第１および第２の抵抗Ｒ１，Ｒ２を直列に接続してなる分圧部１９を有し、第１および第２の抵抗Ｒ１，Ｒ２間に係る第２の接続点１９の電位と、第１および第２の抵抗Ｒ１，Ｒ２に係る抵抗値とに基づいて、第２の直流電圧Ｖo2に係る前記検出を行う、構成を採用してもよい。
【００４７】
なお、本発明の実施形態において、第２の接続点２９における検出電圧Ｖo1を、ＲＡＭなどの（図示しない）記憶部に記憶させる構成を採用してもよい。具体的には、パルス幅Ｔonが最も狭くなる期間Ｔd（図３（ｅ）参照）が到来する毎に、スイッチング素子Ｑ１に係る駆動の制御に必要な回数（少なくとも１回以上）だけ、第２の接続点２９における検出電圧Ｖo1の情報を取得し、取得した検出電圧Ｖo1の情報を記憶部に更新記憶させればよい。このように構成すれば、第２の接続点２９における検出電圧Ｖo1の情報を繰り返し取得する際に生じる電圧検出部３１の負担を軽減することができる。
【００４８】
〔その他の実施形態〕
以上説明した実施形態は、本発明の具現化例を示したものである。したがって、これらによって本発明の技術的範囲が限定的に解釈されることがあってはならない。本発明はその要旨またはその主要な特徴から逸脱することなく、様々な形態で実施することができるからである。
【００４９】
例えば、本発明の実施形態に係る説明において、スイッチング素子Ｑ１に係る駆動の制御態様として、ＰＷＭ制御を行う例をあげて説明したが、本発明はこの例に限定されない。スイッチング素子Ｑ１に係る駆動の制御態様は、ＰＦＭ（Pulse Frequency Modulation）制御などの他の制御態様を用いてもよい。
【００５０】
また、本発明の実施形態に係る説明において、スイッチング素子Ｑ１としてｎチャネル型ＭＯＳＦＥＴを例示して説明したが、本発明はこの例に限定されない。スイッチング素子Ｑ１としては、ＭＯＳＦＥＴ以外にも、ＩＧＢＴ（Insulated Gate Bipolar Transistor）などの他の半導体素子を用いてもよい。
【００５１】
また、本発明の実施形態に係る説明において、電力変換部１７の入力電圧（第１の直流電圧Ｖin）および出力電圧（第２の直流電圧Ｖo2）を検出する例をあげて説明したが、本発明はこの例に限定されない。電力変換部１７の入力電流や出力電流を検出する構成を付加した実施形態も、本発明の技術的範囲に包含される。
【符号の説明】
【００５２】
１１    電源装置
１３    直流電源
１５    電気負荷
１７    電力変換部
１９    分圧部
２１    制御部
２３    直列回路
２４    第１の接続点
２５    第１の接地端子
２７    第２の接地端子
２９    第２の接続点
３１    電圧検出部（検出部、および制御部）
３３    駆動制御部（制御部）
Ｃ１    コンデンサ
Ｄ１    ダイオード
Ｌ１    リアクトル
Ｑ１    スイッチング素子
ＧＮＤ１  第１の接地電位（第１の電位）
ＧＮＤ２  第２の接地電位（第２の電位）
Ｒ１，Ｒ２  第１および第２の抵抗
Ｖin    第１の直流電圧
Ｖo1    第２の接続点における検出電圧
Ｖo2    第２の直流電圧
【図１】
2013162629.tif 000003
【図２Ａ】
2013162629.tif 000004
【図２Ｂ】
2013162629.tif 000005
【図３】
2013162629.tif 000006